(57)【要約】【課題】本発明は、トリガー動作の確実性が図れ、しかも小型で安価に構成できる免震装置のトリガー機構を提供する。【解決手段】本発明に係る免震装置のトリガー機構は、震源側の一方の部位２と、被免震物側の他方の部位３とを相対変位可能として免震を行う免震装置のトリガー機構において、前記一方の部位２と他方の部位３との間に配置した一方の部位２側に重り転動面２１を備えた重り収容部２２を設け、他方の部位３側にバネ収容部２４を設けたケース体４と、ケース体４を貫通するとともに一方の部位２に設けた係合受部１０に一端を係合させ他方の部位３に設けた貫通孔１１に他端を挿通させた移動ピン５と、前記重り収容部２２内の重り転動面２１を転動可能であるとともに、移動ピン５に嵌着した円板６上に載置され、円板６を介して移動ピン５を一方の部位２側に押し付ける重り７と、前記バネ収容部２４内に配置され前記移動ピン５を他方の部位３側に付勢するバネ８とを有するものである。【選択図】図１
2005113972.tif 000002
【特許請求の範囲】
【請求項１】
震源側の一方の部位と、被免震物側の他方の部位とを相対変位可能として免震を行う免震装置のトリガー機構において、
前記一方の部位と他方の部位との間に配置した一方の部位側に重り転動面を備えた重り収容部を設け、他方の部位側にバネ収容部を設けたケース体と、
ケース体を貫通するとともに一方の部位に設けた係合受部に一端を係合させ他方の部位に設けた貫通孔に他端を挿通させた移動ピンと、
前記重り収容部内の重り転動面を転動可能であるとともに、移動ピンに嵌着した円板上に載置され、円板を介して移動ピンを一方の部位側に押し付ける重りと、
前記バネ収容部内に配置されて前記移動ピンを他方の部位側に付勢するバネと、
を有し、
平常時には前記重りにより円板を介して移動ピンの一端を一方の部位に設けた係合受部に係合させて一方の部位と他方の部位とを連結状態とするとともに、地震に伴う振動により前記重りを重り転動面上で転動させ円板から離脱させて前記バネの付勢力により移動ピンを前記他方の部位に設けた貫通孔側に移動させて一方の部位と他方の部位とを連結状態を解除するようにしたことを特徴とする免震装置のトリガー機構。
【請求項２】
震源側の一方の部位と、被免震物側の他方の部位とを相対変位可能として免震を行う免震装置のトリガー機構において、
前記一方の部位と他方の部位との間に配置した一方の部位側に重り転動面を備えた重り収容部を設け、他方の部位側にバネ収容部を設けたケース体と、
ケース体を貫通するとともに一方の部位に設けた係合受部に一端を係合させ他方の部位に設けた貫通孔に他端を挿通させた移動ピンと、
前記重り収容部内の重り転動面を転動可能であるとともに、移動ピンに嵌着した円板上に載置され、円板を介して移動ピンを一方の部位側に押し付ける重りと、
前記バネ収容部内に配置されて前記移動ピンを他方の部位側に付勢するバネと、
前記移動ピンの移動の有無を検出する検出手段と、
この検出手段の検出結果を表示する表示手段と、
を有し、
平常時には前記重りにより円板を介して移動ピンの一端を一方の部位に設けた係合受部に係合させて一方の部位と他方の部位とを連結状態とし、地震に伴う振動により前記重りを重り転動面上で転動させ円板から離脱させて前記バネの付勢力により移動ピンを前記他方の部位に設けた貫通孔側に移動させて一方の部位と他方の部位とを連結状態を解除するとともに、検出手段の検出結果に応じて表示手段により前記移動ピンの移動の有無を表示するようにしたことを特徴とする免震装置のトリガー機構。
【請求項３】
前記一方の部位と他方の部位とを連結状態時には、前記移動ピンの他端は前記他方の部位の貫通孔に隠れ、前記一方の部位と他方の部位とを連結解除状態時には、前記移動ピンの他端は前記他方の部位の貫通孔から外方に突出することを特徴とする請求項１又は２記載の免震装置のトリガー機構。
【請求項４】
前記ケース体の重り収容部における重り転動面の傾斜角度の変更によって、前記一方の部位と他方の部位との連結解除時の重りの転動加速度を調整可能としたことを特徴とする請求項１乃至３のいずれかに記載の免震装置のトリガー機構。
【発明の詳細な説明】
【技術分野】
【０００１】
本発明は、美術品等の展示ケースや、戸建て住宅等の被免震物に使用される免震装置のトリガー機構に関するものである。
【背景技術】
【０００２】
従来、美術品等の展示ケースや戸建て住宅等の被免震物に取り付けられ地震時の免震を行う免震装置が各種提案されている。このような免震装置には、平常時には震源側の一方の部位と、被免震物側の他方の部位とを固定状態とし、地震発生時には固定状態を解除させ両部位を相対変位させるトリガー機構が設けられている。
【０００３】
特許文献１には、上板に設けた基部に、コイルバネにより上方向に付勢されためピンの上端側を上下出没自在に取り付け、重りによりピンの上方向への移動を規制するとともに、地震時の振動によって重りを外し、コイルバネの付勢力によりピンを上方向へ移動させてその下端側を下板側に設けた孔から抜き出すことで、上板、下板間の連結を解除するようにした免震装置のトリガー装置が開示されている。前記重りは、復元装置によりピンの上端側を規制する位置に復元させるようにしている。
【０００４】
しかし、この免震装置のトリガー装置の場合、ピンや重りが地震で一旦移動した後に、摩擦のために元の位置に完全に復帰しない場合が多い。このため、何らかの手段でピンや重りを当初の位置に復帰させるというトリガー装置の復元が必要となってしまう。また、ピンや重りが当初の位置にあるかどうかを確認する手段も具備していない。
【０００５】
このように、従来装置は、免震装置が当初の位置にあるかどうかを別の手段で確認する必要があり、更に、当初の位置への復帰には別途復元装置を備えなければならず、占有スペースが増大し、構成の複雑化を招き、装置価格も高くなってしまう。
【特許文献１】特開２０００−４６１０１号公報
【発明の開示】
【発明が解決しようとする課題】
【０００６】
免震装置におけるトリガー機構の設置状態の確認が難しく、初期状態への復元も困難であり、占有スペースが増大し、構成の複雑化を招き、装置価格も高くなってしまう点である。
【課題を解決するための手段】
【０００７】
本発明は、震源側の一方の部位と、被免震物側の他方の部位とを相対変位可能として免震を行う免震装置のトリガー機構において、前記一方の部位と他方の部位との間に配置した一方の部位側に重り転動面を備えた重り収容部を設け、他方の部位側にバネ収容部を設けたケース体と、ケース体を貫通するとともに一方の部位に設けた係合受部に一端を係合させ他方の部位に設けた貫通孔に他端を挿通させた移動ピンと、前記重り収容部内の重り転動面を転動可能であるとともに、移動ピンに嵌着した円板上に載置され、円板を介して移動ピンを一方の部位側に押し付ける重りと、前記バネ収容部内に配置され前記移動ピンを他方の部位側に付勢するバネとを有することを主要な特徴とする。
【発明の効果】
【０００８】
本発明によれば、地震による振動発生時の重り、バネの動作によって、移動ピンのトリガー動作の確実性が図れ、しかも小型で安価に構成できる免震装置のトリガー機構を提供できる。また、免震装置の設置箇所から離隔した場所においても容易に免震装置の状態を確認できる。更に、震源側の一方の部位と、被免震物側の他方の部位との移動ピンによる連結状態、連結解除状態を目視で容易に確認することができる。
【発明を実施するための最良の形態】
【０００９】
震源側の一方の部位と、被免震物側の他方の部位との間に配置した一方の部位側に重り転動面を備えた重り収容部を設け、他方の部位側にバネ収容部を設けたケース体と、ケース体を貫通するとともに一方の部位に設けた係合受部に一端を係合させ他方の部位に設けた貫通孔に他端を挿通させた移動ピンと、前記重り収容部内の重り転動面を転動可能であるとともに、移動ピンに嵌着した円板上に載置され、円板を介して移動ピンを一方の部位側に押し付ける重りと、前記バネ収容部内に配置され前記移動ピンを他方の部位側に付勢するバネとを有する構成であり、平常時には、前記重りにより円板を介して移動ピンの一端を一方の部位に設けた係合受部に係合させて一方の部位と他方の部位とを連結状態とする。
また、地震に伴う振動により、前記重りを重り転動面上で転動させ円板から離脱させて、前記バネの付勢力により移動ピンを前記他方の部位に設けた貫通孔側に移動させ、この移動ピンを一方の部位から離すことで、一方の部位と他方の部位との連結状態を解除し、免震状態とする。
【実施例】
【００１０】
以下に本発明の実施例を詳細に説明する。
図１、図２は、本実施例における免震装置のトリガー機構の構成を示すものであり、トリガー機構は、震源側の一方の部位３と、被免震物側の他方の部位２とを相対変位可能として免震を行う免震装置１に組み込まれたものであり、前記一方の部位３と他方の部位２との間に配置した箱型状のケース体４と、このケース体４を上下方向に貫通するとともに一方の部位３に設けた係合受部１０に一端を係合させ、他方の部位２に設けた貫通孔１１に他端を挿通させた移動ピン５とを有している。
【００１１】
トリガー機構におけるケース体４は、一方の部位３側（下部側）に、移動ピン５が貫通するとともに湾曲面状の重り転動面２１を備えた重り収容部２２を有する中空の下部箱体４ａを、他方の部位２側（上部側）に移動ピン５が貫通するとともにバネ収容部２４を有する中空の上部箱体４ｂを具備している。
【００１２】
前記下部箱体４ａ内には、前記重り収容部２２内の重り転動面２１を転動可能であるとともに、移動ピン５に一体的に、且つ、移動ピン５と直交する配置に嵌着した円板６上に載置され、円板６を介して移動ピン５を一方の部位３側に押し付ける重り７を配置している。前記重り転動面２１は、移動ピン５に臨む側が最も低く移動ピン５から離れるに従い傾斜をもって高くなるように形成されている。
【００１３】
また、上部箱体４ｂ内には、移動ピン５の回りに巻装されるとともに下部箱体４ａの上板４ｃと移動ピン５に固着したバネ受板２３との間に配置され、移動ピン５を常時他方の部位２側に付勢するバネ８を配置している。
【００１４】
次に、上記構成のトリガー機構の作用を説明する。
地震の無い平常時には、図１に示すように、前記下部箱体４ａ内の重り７は重り転動面２１内で円板６上に位置し、この円板６を介して移動ピン５を一方の部位３側に押し付け、移動ピン５の下端を一方の部位３に設けた係合受部１０に係合させる。これにより、一方の部位３と他方の部位２とは、移動ピン５によって一体的に連結された状態となり、この連結状態時には、前記移動ピン５の他端は前記他方の部位２の貫通孔１１内に隠れた状態となる。この結果、外部から視覚により容易に移動ピン５の連結状態を確認できる。
【００１５】
地震発生時には、図３に示すように、重り７が地震に伴う振動によって前記重り転動面２１上を振動し、円板６から離脱する。これにより、バネ８の付勢力がバネ受板２３を介して移動ピン５に作用し、上方に移動し、当該移動ピン５が前記係合受部１０から離れ、一方の部位３と他方の部位２とは連結解除状態となり、一方の部位３と他方の部位２との相対変位によって地震に対する免震が行われる。
この連結解除状態時には、図３に示すように、移動ピン５の上端部は、他方の部位２の貫通孔１１から上方に突出するため、外部から視覚により容易に移動ピン５の連結解除状態を確認できる。
【００１６】
上述したトリガー機構において、前記重り収容部２２内の重り転動面２１の水平面に対する傾斜角度を変更するようにすれば、前記一方の部位３と他方の部位２との連結解除時の重り７の転動加速度を速くしたり又は遅くする調整が可能となり、トリガー加速度の調整が可能となる。
地震が治まった後に、免震装置１を連結状態に復元させる場合、この免震装置は、摩擦があるため完全に初期位置に復帰されない惧れが大きい。本実施例では、例えば移動ピン５の上部を人力で下方に押し付けつつ、他方の部位２と一方の部位３とを相対的に変位させるようにすれば、前記移動ピン５の下端は、前記係合受部１０に押し込まれ、再び一方の部位３と他方の部位２とを連結固定状態とすることができる。この時、移動ピン５の上端は、他方の部位２の貫通孔１１に隠れるため、視覚により移動ピン５が連結状態に復元したことを視覚により確実に確認できる。
【００１７】
図４は、本実施例のトリガー機構の変形例を示すものであり、図１に示すトリガー機構の構成に、前記他方の部位２で前記貫通孔１１の近傍位置に前記移動ピン５の移動の有無を検出（例えば移動なしでオフ、移動有りでオン）する例えばマイクロスイッチのような検出手段３１と、この検出手段３１にケーブル３３により接続され、ケーブル３３を経て伝送される検出手段３１の検出結果を表示する例えば液晶ディスプレイのような表示手段３２とを付加したことが特徴である。
【００１８】
このような構成のトリガー機構によれば、前記免震装置１と離隔した他の場所において、免震装置のトリガー機構の設置状態及び動作状態の有無を確認できる。
【産業上の利用可能性】
【００１９】
本発明は、上述した免震装置のような技術分野に属する諸種の免震装置に適用できる。
【図面の簡単な説明】
【００２０】
【図１】本発明の実施例の免震装置のトリガー機構を示す概略断面図である。
【図２】図１のＡ−Ａ線断面図である。
【図３】本発明の実施例の免震装置のトリガー機構における免震解除状態を示す概略断面図である。
【図４】本発明の実施例の免震装置のトリガー機構の変形例を示す概略断面図である。
【符号の説明】
【００２１】
１    免震装置
２    一方の部位
３    他方の部位
４    ケース体
４ａ  下部箱体
４ｂ  上部箱体
４ｃ  上板
５    移動ピン
６    円板
７    重り
８    バネ
１０    係合受部
１１    貫通孔
２１    重り転動面
２２    重り収容部
２３    バネ受板
２４    バネ収容部
３１    検出手段
３２    表示手段
３３    ケーブル
【図１】
2005113972.tif 000003
【図２】
2005113972.tif 000004
【図３】
2005113972.tif 000005
【図４】
2005113972.tif 000006